(57)【要約】【課題】消波ブロック下の海底地盤の洗掘、消波ブロックの重量による初期沈下や圧密による沈下を防止する消波ブロック式離岸堤及びその施工法を提供する。【解決手段】本発明による消波ブロック式離岸堤は、設置海域３の底面に打設される杭基礎４と、杭基礎４の上に載置されて設置域を形成する基底殻５及び基底殻の上に所定形状に構築される消波ブロック６から構成されており、消波ブロックの重量による初期沈下や圧密によって発生する沈下を防止すると共に消波ブロック下の海底地盤の洗掘による沈下を防止することで、定期的な保全状態を改善して維持費用を低減している。【選択図】  図１
2004244974.tif 000002
【特許請求の範囲】
【請求項１】
設置海域の底面に打設される杭基礎、該杭基礎の上に載置され設置域を形成する基底殻及び該基底殻の上に所定形状に構築される消波ブロックから構成される消波ブロック式離岸堤。
【請求項２】
基底殻の杭基礎を設置海域の底面に打設し、次いで予め製作されている基底殻を該杭基礎の上に載置し杭基礎と固定して一体化し、しかる後に該基底殻の上に消波ブロックを構築して所定形状に構成する請求項１に記載の消波ブロック式離岸堤の施工法。
【請求項３】
杭基礎が、先に設置されている導材に沿って打設されることを特徴とする請求項２に記載の消波ブロック式離岸堤の施工法。
【発明の詳細な説明】
【０００１】
【発明の属する技術分野】
本発明は消波ブロック式離岸堤及びその施工法に関し、特に設置海底の洗掘と離岸堤の沈下を防止することで維持費を低減させる消波ブロック式離岸堤及びその施工法に関する。
【０００２】
【従来の技術】
我が国は、周囲を海に囲まれた島国であることから、海岸浸食等による国土保全の観点で従来から離岸堤の建設が急ピッチで進められてきた。従来の離岸堤基礎は、初期の頃に採用されていた根固ブロツク、捨石工法や捨石の波浪飛散を網籠で防止する石籠工法、これに次いで、洗掘や沈下の防止を図るために開発されてきた砂袋のサンドマット工法、アスファルト板のアスファルトマット工法、単体ブロックを化繊シートに接着させるトレインマット工法及びコマ型のコンクリートブロックを連接して構成するコマ型ブロック工法等、各種の形態が採用されてきた。
【０００３】
さらに、これらの離岸堤基礎の上に消波ブロックを積み重ねることによって消波ブロック式離岸堤も形成されているが、前記の基礎工法の他にも、波浪による海底地盤の洗掘、液状化によるブロックの沈下と滑動の防止、施工性の悪さや耐用年数の不定等の問題点を解決するものとして、長方形状の根固めブロックを布設位置の海底に連接させて設置しながら、根固めブロックの短辺側側面に取り付けた連接金具にワイヤーを取り付けて、このワイヤーを海底に横置させた形鋼に連結させることで固定している例もあり、この際の根固めブロックの海岸側には、円形仕切枠を千鳥状に布設しながら捨石を投入することで底部の整地をしており、整地した後の底部上には消波ブロックを積み上げている。（例えば特許文献１参照）
【０００４】
【特許文献１】
特開平７−２５２８１３号公報（識別番号「０００４」〜「０００７」、「００１３」、図１〜５）
【０００５】
しかしながら、これらの方法は、捨て石の抜け出しと海底の液状化防止、施工性と耐久性の改善の点で進歩が見られるものの、以下の問題点が依然として発生するものであり、その対策として定期的な保全が必要となっているものであることから、無視することの出来ない維持費用が必要になっていた。
【０００６】
▲１▼厳しい海象条件や急峻な海底地形の場合、消波ブロック下の海底地盤が    洗掘されて沈下が発生する。
▲２▼軟弱地盤上の場合、消波ブロック重量によって初期沈下や圧密沈下が発    生する。
【０００７】
【発明が解決しようとする課題】
本発明は、上記の状況に鑑みて定期的な保全を無くして維持費用を改善するために提案するものであり、消波ブロック下の海底地盤の洗掘による沈下の防止や消波ブロックの重量による初期沈下や圧密によって発生する沈下を防止して、定期的な保全を不要にして維持費用の低減を図っている消波ブロック式離岸堤及びその施工法の提供を目的にしている。
【０００８】
【課題を解決するための手段】
本発明による消波ブロック式離岸堤は、設置海域の底面に打設される杭基礎と、杭基礎の上に載置されて設置域を形成する基底殻及び基底殻の上に所定形状に構築される消波ブロックから構成されており、消波ブロックの重量による初期沈下や圧密によって発生する沈下を防止すると共に消波ブロック下の海底地盤の洗掘による沈下を防止することで、定期的な保全状態を改善して維持費用を低減している。
【０００９】
又、本発明による消波ブロック式離岸堤の施工法は、上記消波ブロック式離岸堤の施工に用いるものであり、基底殻の杭基礎を設置海域の底面に打設し、次いで予め製作されている基底殻を杭基礎の上に載置して杭基礎と固定することで一体化し、しかる後に基底殻の上に消波ブロックを構築して所定形状に構成することを基本にし、杭基礎を先に設置されている導材に沿って打設することを特徴としており、離岸堤を構成する杭基礎や基底殻の施工を簡易にして消波ブロックの構築を堅固にしている。
【００１０】
【発明の実施の形態】
本発明による消波ブロック式離岸堤は、設置海域の底面に打設される杭基礎と、杭基礎の上に載置されて設置域を形成する基底殻及び基底殻の上に所定形状に構築される消波ブロックから構成されている。
以下に、本発明による消波ブロック式離岸堤の実施の形態を図面に基づいて詳細に説明する。
【００１１】
図１は、本発明による消波ブロック式離岸堤の実施の形態を示す概要断面図であり、消波ブロック式離岸堤１は、海底面２の所定位置に形成された設置海域３に造成されている。
【００１２】
消波ブロック式離岸堤１は、設置海域３に堅固に打設された複数の鋼管杭４とその上に載置されて一体に固定されている設置海域３の全体を覆っている基底殻５及び基底殻５に任意形状の消波ブロック６で所定の形体に構築された築堤７から構成されている。
【００１３】
本実施の形態では、基底殻の杭基礎として鋼管杭４を採用しているが、杭基礎はこの他にもコンクリート杭等を構成している通常杭の中から適当なものを任意に選択できるものである。
【００１４】
又、基底殻５は、鋼製の格子状骨組８とその周辺に備えられた立上り縁９とで箱型に構成されているが、材質や形状に関しては、鋼製に限定されるものでなくコンクリート製等の採用が可能である。
【００１５】
以上のように、本実施の形態では、最初に鋼管杭４を海岸底２に堅固に打設して置き、この鋼管杭４と基底殻５とを一体化すると共に基底殻５で設置海域３を全面的に覆うようにしながら、築堤７を構成している消波ブロック６は、基底殻５の上に安定された状態で積層されている。
【００１６】
従って、本発明による消波ブロック式離岸堤は、消波ブロックの重量による初期沈下や圧密によって発生する沈下を防止すると共に、消波ブロック下の海底地盤の洗掘を抑制しているのでこれによる沈下を確実に防止するものであり、これによって、定期的な保全状態をフリー状態に改善してその維持費用を大幅に低減している。
【００１７】
又、本発明による消波ブロック式離岸堤は、既設消波ブロックに隣接して造成する離岸堤のリニューアル工事にも好適に採用できるものである。
【００１８】
次に、本発明による消波ブロック式離岸堤の施工法について説明する。
本発明による消波ブロック式離岸堤の施工法は、設置海域の底面に基底殻の杭基礎を先に設置されている導材に沿って打設しており、次いで、予め製作されている基底殻を杭基礎の上に載置して杭基礎と固定することで一体化し、しかる後に、基底殻の上に消波ブロックを構築して所定形状に構成している。これによって、本発明の施工法は、離岸堤を構成する杭基礎や基底殻の施工を簡易にすると共に、消波ブロックを精度良く堅固に構築している。
以下に、本発明による消波ブロック式離岸堤の施工法についての実施の形態を図面に基づいて詳細に説明する。
【００１９】
図２、３は、本発明による消波ブロック式離岸堤の施工法についての実施の形態を示す概要工程図である。
【００２０】
図２は、消波ブロック式離岸堤の施工において鋼管杭を打設するまでの工程を示しており、海底面の均し工程（ａ）、鋼管杭の打設工程（ｂ）及び鋼管杭の打設完了形態（ｃ）の各工程に従って説明している。
【００２１】
図２（ａ）は、海岸底の所定位置に形成された設置海域の海底面における均し工程であり、消波ブロック式離岸堤１を設置する海底面２の均しは、床付け面が概ね水平となるように、最初にグラブ浚渫船１０で切り盛りするものである。
【００２２】
切り盛りに次いでの作業は、床付け面１１の上に砕石１２を敷設してレベルを出すことになるが、本レベル設定作業については、潜水士１３によって順次に確認を行いながら実施している。
【００２３】
図２（ｂ）は、海岸底の設置海域に鋼管杭を設置する鋼管杭の打設工程である。
【００２４】
本工程では、鋼管杭４の打設に先立って導材１４を設置しているが、導材１４としては、海底面にＨ形鋼で組んだ定規材を設置することでも採用可能である。
【００２５】
鋼管杭４は、バイブロハンマ１６を装着した起重機船１５によって導材１４に合わせながら打設されるものであり、導材１４の予めの設置によって、鋼管杭４の打設は高精度に施工されることになる。
【００２６】
図２（ｃ）は、海岸底の設置海域に鋼管杭を打設完了させた形態を示す工程である。
【００２７】
本工程では、海底面２の床付け面１１に予定本数の鋼管杭４が、海底面２の所定位置に形成された設置海域３に全域に亘って堅固に打設されると共に、基底殻５を正規の位置に正確に据え付けるために、先立つ導杭１７を所定の位置に予め設置している。
【００２８】
図３は、消波ブロック式離岸堤の施工において消波ブロックを打設した鋼管杭の上に構築するまでの工程を示しており、基底殻の据付工程（ａ）、水中コンクリート打設工程（ｂ）及び消波ブロックの移設工程（ｃ）の各工程に従って説明している。
【００２９】
図３（ａ）は、打設した鋼管杭の上に基底殻を据え付ける工程であり、基底殻は、施工に先立って陸上の製作ヤードで予め製作されている。
【００３０】
基底殻５の運搬は、本実施の形態においては、図示されていない陸上製作ヤードから直接基底殻５を起重機船１５で吊り取って、設置海域３の現場に吊り曳航されている。次いで行われる基底殻５の据付は、運搬してきた起重機船１５で導杭１７に合わせて行うものであり、この際には潜水士によって据付け誘導している。
【００３１】
図３（ｂ）は、設置海域に堅固に打設されている鋼管杭に基底殻を載置して、基底殻を杭基礎と固定するために行なう水中コンクリートの打設工程である。
【００３２】
本工程では、基底殻５が床付け面１１に据え付けられ、杭基礎である鋼管杭４と一体化させるために、コンクリートミキサ船１８によってトレミー管１９を介しながら水中コンクリートを打設されている。基底殻５の据え付けに当たっては、基底殻５における格子状骨組８の交点を鋼管杭４の頭部を載置するようにしてもよいし、格子状骨組８の格子目の中に鋼管杭の頭部を入れるようにして、直接床付け面に据え付けるようにしてもよい。
【００３３】
又、基底殻５と杭基礎としての鋼管杭４とをコンクリートを打設することで一体化するに当たり、格子状骨組８の格子目の中に鋼管杭４の頭部を入れる場合は、一体化がより図れるように、鋼管杭４の頭部と格子状骨組８との間に亘るような鋼材等の補強材を配置することも望ましいところである。
【００３４】
基底殻５は、以上のように施工されることで設置海域に堅固に打設されている鋼管杭４に一体的に載置されることになり、海底面２の床付け面１１に堅固に設置されることになる。
【００３５】
尚、水中において打設される際における水中コンクリートの打上り高さは、潜水士によって管理されるものである。
【００３６】
図３（ｃ）は、鋼管杭に堅固に固定された基底殻に消波ブロックを移設して築堤を構成する工程である。
【００３７】
水中コンクリートを打設・養生して基底殻５の施工を完了させた後には、既設の離岸堤から消波ブロック６をクレーン付台船２０によって現場に移設して築堤７を構成している。積層される消波ブロック６は、潜水士の誘導によってその位量、向きに注意して精度良く据え付けられるものであり、基底殻５の上に安定された状態で積層されている。
【００３８】
以上のように、本発明による消波ブロック式離岸堤及びその施工法は、上記実施の形態に基づいて詳細に説明したように構成されているので、消波ブロック下の海底地盤の洗掘による沈下の防止や消波ブロックの重量による初期沈下と圧密によって発生する沈下を防止することによって、定期的な保全を不要にして維持費用の低減を図ることが出来る。
【００３９】
以上、本発明を実施の形態に基づいて詳細に説明してきたが、本発明による消波ブロック式離岸堤及びその施工法は、上記実施の形態に何ら限定されるものでなく、本発明の趣旨を逸脱しない範囲において、出願時において既に公知のものを適用することによる種々の変更が可能であることは、当然のことである。
【００４０】
【発明の効果】
本発明による消波ブロック式離岸堤は、設置海域の底面に打設される杭基礎と、杭基礎の上に載置されて設置域を形成する基底殻及び基底殻の上に所定形状に構築される消波ブロックから構成されているので、以下の具体的な効果を発揮させて定期的な保全状態を改善して維持費用を低減できる効果を奏している。
▲１▼  軟弱地盤上の場合であっても、消波ブロックの重量による初期沈下や圧密によって発生する沈下を防止できる。
▲２▼  厳しい海象条件や急峻な海底地形の場合であっても、消波ブロック下の海底地盤の洗掘による沈下を防止できる。
【００４１】
本発明による消波ブロック式離岸堤の施工法は、上記消波ブロック式離岸堤の施工に用いるものであり、基底殻の杭基礎を設置海域の底面に打設し、次いで予め製作されている基底殻を杭基礎の上に載置して杭基礎と固定することで一体化し、しかる後に基底殻の上に消波ブロックを構築して所定形状に構成し、杭基礎を先に設置されている導材に沿って打設することを特徴としているので、離岸堤を構成する杭基礎や基底殻の施工を簡易にして消波ブロックの構築を堅固できる効果を奏している。
【図面の簡単な説明】
【図１】本発明による消波ブロック式離岸堤の実施の形態を示す概要断面図
【図２】本発明による消波ブロック式離岸堤の施工法について基礎杭の打設までを示す概要工程図
【図３】本発明による消波ブロック式離岸堤の施工法について消波ブロックを積層するまでを示す概要工程図
【符号の説明】
１  消波ブロック式離岸堤、  ２  海底面、  ３  設置海域、  ４  鋼管杭、
５  基底殻、  ６  消波ブロック、  ７  築堤、  ８  格子状骨組、
９  立上り縁、  １０  グラブ浚渫船、  １１  床付け面、  １２  砕石、
１３  潜水士、  １４  導材、  １５  起重機船、  １６  バイブロハンマ、
１７  導杭、１８  コンクリートミキサ船、  １９  トレミー管、
２０  クレーン付台船、
【図１】
2004244974.tif 000003
【図２】
2004244974.tif 000004
【図３】
2004244974.tif 000005